(57)【要約】【課題】石材が投入される際の網籠の変形等を防止する養生作業を合理化し、工期を短縮して施工コストを低減できる石積工事方法及び石積工事施工器具を提供すること。【解決手段】網籠２０の中に石材を詰めて石積みをする石積工事方法であって、網籠２０の内側２２に、内側２２の全体を実質的に占めるように設けられると共に上下が開放した枠体１１を配置する工程と、枠体１１の内側へ石材３０を充填する工程と、枠体１１を網籠２０から抜き取る工程とを有することを特徴とする。【選択図】  図３
2007070836.tif 000002
【特許請求の範囲】
【請求項１】
網籠の中に石材を詰めて石積みをする石積工事方法であって、
前記網籠の内側に、該内側の全体を実質的に占めるように設けられると共に上下が開放した枠体を配置する工程と、
前記枠体の内側へ石材を充填する工程と、
前記枠体を前記網籠から抜き取る工程とを有することを特徴とする石積工事方法。
【請求項２】
前記網籠及び前記枠体が矩形に設けられており、前記網籠から前記枠体を抜き取る工程の該枠体を中途まで引き上げた時点において、該枠体の対向する一対の側壁に下縁から高さ方向の中途部まで切り込まれて設けられた一対のスリットに亘って、前記網籠の上縁部が広がることを防止する線材状の補強材を挿通し、該補強材の両端を前記網籠に固定する工程を有することを特徴とする請求項１記載の石積工事方法。
【請求項３】
前記枠体は、重機によって吊り下げて前記網籠の内側へ配置し、重機によって吊り上げて前記網籠から抜き取ることを特徴とする請求項１又は２記載の石積工事方法。
【請求項４】
石材が充填された前記網籠を法面に複数段に配設し、該網籠による複数段の石積法面を形成することを特徴とする請求項１、２又は３記載の石積工事方法。
【請求項５】
石材が充填された前記網籠を法面に多数隣接させて配設し、該網籠によるスロープ状の石積法面を形成することを特徴とする請求項１、２又は３記載の石積工事方法。
【請求項６】
請求項１、２、３、４又は５記載の石積工事方法に用いるべく設けられた前記枠体によって構成されることを特徴とする石積工事施工器具。
【請求項７】
前記枠体の上縁に、鍔が設けられていることを特徴とする請求項６記載の石積工事施工器具。
【請求項８】
前記枠体は矩形に設けられ、該枠体の四つの角部に吊り下げ用の被吊掛部が設けられていることを特徴とする請求項６又は７記載の石積工事施工器具。
【発明の詳細な説明】
【技術分野】
【０００１】
本発明は、網籠の中に石材を詰めて石積みをする石積工事方法及びその石積工事方法に用いる石積工事施工器具に関する。
【背景技術】
【０００２】
網籠の中に石材を詰めて石積みをする石積工事方法としては、かごマット工法がある。このかごマット工法によれば、崖法面、河川の護岸や河川敷等を、迅速に整備することが可能であり、石材を用いることから環境保全にも有効である。
なお、網籠の中に詰める石材としては、主に玉石、栗石、割石等の自然石が用いられる。但し、網籠の中には、上記の石材のみを詰めることに限定されるのではなく、他の機能性のある材料を詰めることも可能である。例えば、石材に相当する人工物や、植生を向上させるための植物繊維から成る塊状物を詰めてもよい。
【０００３】
このかごマット工法に用いられる網籠は、一般的に、線径が４〜６ｍｍ程度の軟鋼線材に亜鉛アルミニウム合金めっき等の表面処理がなされた材料で形成された金網及び枠線材から構成されている。また、網目の大きさは、一般的に、６５〜１００ｍｍ角程度になっている。
このように網籠は、線材によって形成され、且つ網目が大きいため、変形し易い。また、内部に詰められる石の重量と比較して軽いため、石が詰められる前の現場に設置された状態では、滑って移動し易い。
【０００４】
このため、従来は、網籠の回りを木製の板材等で囲って養生し、石材が投入される際に網籠が変形することを防止していた。この場合、その養生作業に労力がかかり、施工時間が長くなっていた。
これに対して、網籠の中に底のある木箱を入れ、その木箱の内部に詰石及び現地土等を投入し、その木箱ごと現場に設置する緑化用かごマットが提案されている。なお、この木箱ごと設置する工法は特殊な場合に利用できるが、一般的なかごマット工法ではないと考えられる。
【特許文献１】特開平１１−３４３６２３号公報（第３図）
【発明の開示】
【発明が解決しようとする課題】
【０００５】
石積工事方法及び石積工事施工器具に関して解決しようとする問題点は、石材が投入される際に網籠の変形や設置場所からのズレが発生することを防止するため、養生作業に労力がかかり、施工時間が長くなっていることにある。
そこで本発明の目的は、石材が投入される際の網籠の変形等を防止する養生作業を合理化し、工期を短縮して施工コストを低減できる石積工事方法及び石積工事施工器具を提供することにある。
【課題を解決するための手段】
【０００６】
本発明は、上記目的を達成するために次の構成を備える。
本発明にかかる石積工事方法の一形態によれば、網籠の中に石材を詰めて石積みをする石積工事方法であって、前記網籠の内側に、該内側の全体を実質的に占めるように設けられる共に上下が開放した枠体を配置する工程と、前記枠体の内側へ石材を充填する工程と、前記枠体を前記網籠から抜き取る工程とを有することを特徴とする。
【０００７】
また、本発明にかかる石積工事方法の一形態によれば、前記網籠及び前記枠体が矩形に設けられており、前記網籠から前記枠体を抜き取る工程の該枠体を中途まで引き上げた時点において、該枠体の対向する一対の側壁に下方から高さ方向の中途部まで切り込まれて設けられた一対のスリットに亘って、前記網籠の上縁部が広がることを防止する線材状の補強材を挿通し、該補強材の両端を前記網籠に固定する工程を有することを特徴とすることができる。
【０００８】
また、本発明にかかる石積工事方法の一形態によれば、前記枠体は、重機によって吊り下げて前記網籠の内側へ配置し、重機によって吊り上げて前記網籠から抜き取ることを特徴とすることができる。
また、本発明にかかる石積工事方法の一形態によれば、石材が充填された前記網籠を法面に複数段に配設し、該網籠による複数段の石積法面を形成することができる。
また、本発明にかかる石積工事方法の一形態によれば、石材が充填された前記網籠を法面に多数隣接させて配設し、該網籠によるスロープ状の石積法面を形成することを特徴とすることができる。
【０００９】
また、本発明にかかる石積工事施工器具の一形態によれば、以上の石積工事方法に用いるべく設けられた前記枠体から成ることを特徴とする。
また、本発明にかかる石積工事施工器具の一形態によれば、前記枠体の上縁に、鍔が設けられていることを特徴とすることができる。
また、本発明にかかる石積工事施工器具の一形態によれば、前記枠体は矩形に設けられ、該枠体の四つの角上部に吊り下げ用の被吊掛部が設けられていることを特徴とすることができる。
【発明の効果】
【００１０】
本発明にかかる石積工事方法及び石積工事施工器具によれば、石材が投入される際の網籠の変形等を防止する養生作業を合理化し、工期を短縮して施工コストを低減できるという特別有利な効果を奏する。
【発明を実施するための最良の形態】
【００１１】
以下、本発明にかかる石積工事方法及び石積工事施工器具について最良の形態の一例を添付図面（図１〜８）に基づいて詳細に説明する。図１は本発明にかかる石積工事施工器具の一例を説明する斜視図である。図２は本発明に用いられる網籠の一例を示す斜視図である。また、図３〜８は本発明にかかる石積工事方法を説明する斜視図である。
【００１２】
本発明にかかる石積工事施工器具１０は、網籠２０の中に石材３０を詰めて石積みをする石積工事方法に用いられる。この石積工事施工器具１０は、網籠２０の内側２２に、その内側２２の全体を実質的に占めるように設けられると共に上下が開放した枠体１１によって構成されている。
なお、網籠２０の内寸法と、その内側２２に嵌る枠体１１の外寸法とのクリアランスは、石材３０を網籠２０内へ一杯に詰めるために原則的としては小さい方が良い。一方、枠体１１を網籠２０内に設置するための作業性の上では、クリアランスが大きい方が良い。従って、そのクリアランスは、作業性が良いところで可及的に小さく設定されればよい。
【００１３】
そして、本発明にかかる石積工事方法では、この石積工事施工器具１０を、網籠２０の内側２２に配置する工程と、枠体１１の内側１２へ石材３０を充填する工程と、枠体１１を網籠２０から抜き取る工程とを有する。
この石積工事方法は、かごマット工法等の石積工法の特に養生作業を合理化するものである。なお、かごマット工法等の石積工法の基本については、周知であり、説明を省略する。
【００１４】
枠体１１は、図１に示すように、４面の側壁に囲まれた形態の矩形に設けられている。つまり、この枠体１１の上下面には、蓋或いは底がなく、上下に開放された角筒状となっている。また、平面的には長方形に形成されている。本形態では長辺と短辺の比が略２：１となっている。さらに、この枠体１１は、実質的に網籠２０の内側に配置されるが、高さ寸法が網籠２０の高さよりも若干高く設定されている。これにより、枠体１１の設置作業及び抜き取り作業を好適に行うことができる。
なお、側壁の板材は、投入される石材によって簡単に変形することがない程度の強度を要する一方、石材を効果的に詰めることと網籠２０から抜き取る工程のためには極力薄くて軽い方が良い。そのような条件に適応するものとして、本形態では厚さ７ｍｍの鋼板を用いている。
【００１５】
この枠体１１には、その枠体１１の対向する一対の側壁１１ａ、１１ｂのそれぞれに、スリット１３が設けられている。このスリット１３は、長辺の側壁１１ａ、１１ｂの幅方向の中央部に設けられ、枠体１１の下縁１１ｅから、その枠体１１の高さ方向の中途部まで切り込まれた溝状に形成されている。
このように一対のスリット１３が設けられていることで、網籠２０から枠体１１を抜き取る工程のその枠体１１を中途まで引き上げた時点において、網籠２０の上縁部２４が広がることを防止する線材状の補強材４０を挿通できる（図６参照）。
【００１６】
また、この枠体１１の上縁１１ｆには、鍔１４が設けられている。この鍔１４が設けられた部分は、外側に折り曲げられたアングル状に形成されている。本形態では、上縁１１ｆの全周に亘って設けられている。この鍔１４によれば、かごマット（網籠２０）に石材３０が当たることを防ぎ、網籠２０が変形することを防止できる。
鍔１４の大きさは、複数の枠体１１を図４のように並べて配置する場合があるため、鍔１４同士が重ならない程度に外方に張り出すように設定すればよい。例えば、厚さ７ｍｍの鋼板から成る枠体１１の側壁に対して約１０ｍｍ程度張り出して形成されるとよい。これによれば、網籠２０を好適に保護できると共に、複数の枠体１１を並べる場合にも好適に配置できる。
【００１７】
さらに、この枠体１１の四つの角部１１ｇには、吊り下げ用の被吊掛部１５が設けられている。この被吊掛部１５にワイヤ５０を掛けて、そのワイヤ５０で枠体１１をバランスよく吊り下げて昇降させることができる（図３及び６参照）。なお、この被吊掛部１５は、ワイヤ５０で吊り下げるための形状となっていればよい。例えば、フック状に形成されていてもよく、周知の他の吊り下げ用の形態を利用してもよい。また、被吊掛部１５が設けられる位置も角部１１ｇに限定されるものではなく、吊り下げる際にバランスが取れる位置等に適宜に設ければよい。この吊り下げ作業は、パワーショベル等の重機を用いて行うことができる。機械化ができるため、作業性がよい。
なお、ワイヤ５０で枠体１１を吊り下げることに限定されるものではなく、専用の装置、例えばパワーショベルのアームの先端に取り付ける専用のアタッチメントを製作し、それを用いて枠体１１を設置してもよい。
【００１８】
次に、以上に説明した枠体１１から構成された石積工事施工器具１０によって、網籠の中に石材を詰めて石積みをする石積工事方法について、図２〜８に基づいて以下に説明する。
先ず、図２に示すような網籠２０を現場に設置する。この網籠２０は、底がある箱形状であり、蓋２５が開閉可能に設けられている。なお、蓋２５は別体に設けられる場合もあり、以下の説明では蓋２５を省略して説明する。
【００１９】
次に、図３に示すように、網籠２０の内側２２に、その内側２２の全体を実質的に占めるように設けられると共に上下が開放した枠体１１を配置する。本形態では、枠体１１を、パワーショベル等の重機によってワイヤ５０で吊り下げ、作業者がその枠体１１を押さえて位置調整をしつつ網籠２０内へ嵌め込む。図４は、長尺の網籠２０の内側２２に、二つの枠体１１を隣接させて配置した状態を示している。
【００２０】
次に、図５に示すように、枠体１１の内側へ石材３０を充填する。この作業は、パワーショベル等の重機を使用して効率的に行うことができる。この際、石材３０を投入しても枠体１１に保護されて網籠２０が変形することを防止できる。また、枠体１１の重量によって、網籠２０の位置がずれることも防止できる。従って、作業性が良く、施工時間を大幅に短縮できる。
【００２１】
次に、パワーショベル等の重機を使用して枠体１１を網籠２０から抜き取る。この工程の枠体１１を中途まで引き上げた時点において、図６に示すように、その枠体１１の対向する一対の側壁１１ａ、１１ｂに下縁から高さ方向の中途部まで切り込まれて設けられた一対のスリット１３、１３に亘って、網籠２０の上縁部２４が広がることを防止する線材状の補強材４０を挿通する。
そして、その補強材４０の両端を網籠２０に固定する。補強材４０は図６に示すように両端に折り曲げられて形成された係止部４０ａ、４０ａが設けられている。この係止部４０ａを、網籠２０の上縁部２４の枠線材に引っ掛けることで、図７に示すように補強材４０を網籠２０に固定する。これにより、網籠２０の上縁部２４が広がることを防止して、石材３０を網籠２０内に好適に収納することができる。
【００２２】
次に、枠体を重機によってさらに吊り上げて網籠２０から完全に抜き取る。
そして、蓋２５をして一つの網籠２０にかかる石積工程が終了し、以上の工程を順次繰り返すことで、法面や護岸の石積面を構築する。
【００２３】
以上の工法によれば、石材３０が充填された網籠２０を法面に複数段に配設し、その網籠による複数段の石積法面を好適に形成することができる（図８参照）。
また、石材３０が充填された網籠２０を法面に多数隣接させて配設し、その網籠２０によるスロープ状の石積法面を好適に形成することができる。
そして、この工法によれば、上記のような機械化によって極めて迅速に施工できるため、特に災害時の復旧工事において、その緊急性に好適に対応できる。
【００２４】
以上、本発明につき好適な実施の形態例を挙げて種々説明してきたが、本発明はこの実施の形態例に限定されるものではなく、発明の精神を逸脱しない範囲内で多くの改変を施し得るのは勿論のことである。
【図面の簡単な説明】
【００２５】
【図１】本発明に係る石積工事施工器具を示す斜視図である。
【図２】本発明に用いられる網籠を示す斜視図である。
【図３】本発明に係る石積工事方法を説明する斜視図である。
【図４】本発明に係る石積工事方法を説明する斜視図である。
【図５】本発明に係る石積工事方法を説明する斜視図である。
【図６】本発明に係る石積工事方法を説明する斜視図である。
【図７】本発明に係る石積工事方法を説明する斜視図である。
【図８】本発明に係る石積工事方法を説明する斜視図である。
【符号の説明】
【００２６】
１０  石積工事施工器具
１１  枠体
１２  内側
１３  スリット
１４  鍔
１５  被吊掛部
２０  網籠
２２  内側
３０  石材
４０  補強材
５０  ワイヤ
【図１】
2007070836.tif 000003
【図２】
2007070836.tif 000004
【図３】
2007070836.tif 000005
【図４】
2007070836.tif 000006
【図５】
2007070836.tif 000007
【図６】
2007070836.tif 000008
【図７】
2007070836.tif 000009
【図８】
2007070836.tif 000010